(57)【特許請求の範囲】
【請求項１】
ネットワークに接続され、前記ネットワークにおいて識別子によって相互に識別可能とされた複数のサーバによって提供されるウェブコンテンツに通信端末がアクセスしたアクセスログを前記サーバに対応する複数の情報収集サーバにおいて収集し、統合するマッチングシステムであって、
所定のウェブコンテンツを提供する登録サーバと、
前記ネットワークに接続される結合サーバとを有し、
前記所定のウェブコンテンツは、
前記所定のウェブコンテンツにアクセスした前記通信端末毎に異なるアクセス識別情報が設定されるように構成されており、
前記所定のウェブコンテンツには、
前記所定のウェブコンテンツにアクセスした通信端末のアクセスデータと、前記アクセス識別情報とを複数の前記情報収集サーバに向けて送信する処理を実行させるスクリプトが組み込まれており、
複数の前記情報収集サーバのうち第１情報収集サーバは、前記通信端末に第１端末識別情報を発行して前記通信端末に前記第１端末識別情報を送信するとともに、発行した前記第１端末識別情報と、前記通信端末に設定された前記アクセス識別情報とを対応付けて記憶し、
複数の前記情報収集サーバのうち第２情報収集サーバは、前記通信端末に第２端末識別情報を発行して前記通信端末に前記第２端末識別情報を送信するとともに、発行した前記第２端末識別情報と、前記通信端末に設定された前記アクセス識別情報とを対応付けて記憶し、
前記スクリプトは、
前記第１端末識別情報と前記第２端末識別情報とを前記結合サーバに送信する処理を更に実行させるように構成されており、
前記結合サーバは、
前記第１端末識別情報と前記第２端末識別情報とをパラメータとして、前記結合サーバに送信する処理を実行した前記通信端末に第３端末識別情報を生成するとともに、前記第１端末識別情報と前記第２端末識別情報とを、生成した前記第３端末識別情報によって関連付け、前記第１端末識別情報を有するアクセスログと、前記第２端末識別情報を有するアクセスログとを結合するアクセスログマッチングシステム。
【請求項２】
ネットワークに接続され、前記ネットワークにおいて識別子によって相互に識別可能とされた複数のサーバによって提供されるウェブコンテンツに通信端末がアクセスしたアクセスログを前記サーバに対応する複数の情報収集サーバにおいて収集し、統合するマッチングシステムであって、
所定のウェブコンテンツを提供する登録サーバと、
前記ネットワークに接続される結合サーバとを有し、
前記所定のウェブコンテンツには、前記所定のウェブコンテンツにアクセスしてきた通信端末を前記複数の情報収集サーバによってそれぞれ提供される特定のウェブコンテンツに誘導するリダイレクト情報が組み込まれており、
複数の前記情報収集サーバのうち第１情報収集サーバは、前記通信端末に第１端末識別情報を発行して、前記通信端末に前記第１端末識別情報を送信し、
複数の前記情報収集サーバのうち第２情報収集サーバは、前記リダイレクト情報によって誘導された前記通信端末から受信した前記第１端末識別情報をパラメータとする第２端末識別情報を発行して、前記通信端末に前記第２端末識別情報を送信し、
前記結合サーバは、前記リダイレクト情報によって誘導された前記通信端末から受信した前記第１端末識別情報と前記第２端末識別情報とを用いて、前記第１端末識別情報を有するアクセスログと、前記第２端末識別情報を有するアクセスログとを結合するアクセスログマッチングシステム。
【発明の詳細な説明】
【技術分野】
【０００１】
本発明は、複数のサーバによって提供されるウェブページに通信端末がアクセスしたアクセスログをサーバ間において統合するアクセスログマッチングシステム及びアクセスログマッチング方法に関する。
【背景技術】
【０００２】
従来、コンピュータネットワークに提供されるウェブサイトにアクセスした通信端末から、アクセスしたウェブサイトの履歴などの情報を取得する方法が知られている（例えば、特許文献１参照）。いわゆる「クッキー（cookie）」を用いる方法である。
【０００３】
クッキーとは、コンピュータにインストールされたウェブサイトの閲覧ソフト（ウェブブラウザ）を通じて、ウェブサイトを提供するサーバがウェブサイトの閲覧者のコンピュータに一時的に保存した情報である。クッキーには、クッキーを識別するクッキーＩＤや、ウェブサイトを閲覧した日時情報、ウェブサイトの閲覧回数、アクセスした通信端末のＯＳ情報、及びブラウザ情報などのアクセスデータを記録させることができる。
【０００４】
例えば、ウェブサイトに広告などのコンテンツを提供する提供業者ＷＡによって管理されるドメインネームＮＷａのサーバＳＷａは、ウェブサイトにアクセスしてきた閲覧者の通信端末に保存されたクッキーを取得する。閲覧者の通信端末にサーバＳＷａによって作成されたクッキーが含まれていれば、サーバＳＷａは、クッキーに含まれるアクセスデータに基づいて、通信端末に広告などのコンテンツを提供できる。
【先行技術文献】
【特許文献】
【０００５】
【特許文献１】特開２００６−４８４３０号公報
【発明の概要】
【発明が解決しようとする課題】
【０００６】
しかしながら、クッキーは、作成元サーバのドメイン毎に管理されているため、例えば、ウェブサイトに広告などのコンテンツを提供する提供業者ＷＡによって管理されるドメインネームＮＷａ（例えば、ａａａ．ｃｏｍ）のサーバＳＷａにおいて作成されたクッキーは、提供業者ＷＢによって管理されるドメインネームＮＷｂ（例えば、ｂｂｂ．ｃｏｍ）のサーバＳＷｂでは解析できない。そのため、提供業者ＷＡ，ＷＢは、自社ドメインにリンクしたウェブサイトに対するアクセスデータしか取得できなかった。
【０００７】
そこで、本発明は、ネットワークにおいて、ドメインネームの異なるサーバにおいてそれぞれ取得された通信端末のアクセスデータを統合可能にするアクセスログマッチングシステム及びアクセスログマッチング方法を提供することを目的とする。
【課題を解決するための手段】
【０００８】
上述した問題を解決するため、本発明は、次のような特徴を有している。すなわち、ネットワーク（コンピュータネットワーク１０）に接続され、前記ネットワークにおいて識別子によって相互に識別可能とされた複数のサーバによって提供されるウェブページに通信端末（通信端末１０）がアクセスしたアクセスログを前記サーバに対応する複数の収集サーバにおいて収集し、統合するアクセスログマッチングシステム（アクセスログマッチングシステム１）であって、所定のウェブサイト（調査サイト６００）を提供する特定サーバ（登録サーバ５１）を有し、前記所定のウェブサイトは、前記所定のウェブサイトにアクセスした前記通信端末毎に異なるアクセス識別情報（ユニークＵＲＬ）が設定されるように構成されており、前記所定のウェブサイトには、前記所定のウェブサイトにアクセスした通信端末のアクセスデータと、前記アクセス識別情報とを複数の前記収集サーバ（情報収集サーバ３１，４１）に向けて送信する処理を実行させるスクリプト（スクリプト６０１）が組み込まれており、複数の前記収集サーバのうち第１収集サーバは、前記通信端末に第１端末識別情報（Ａ社cookieのクッキーＩＤ）を発行するとともに、発行した前記第１端末識別情報と、前記通信端末に設定された前記アクセス識別情報とを対応付けて記憶し、複数の前記収集サーバのうち第２収集サーバは、前記通信端末に第２端末識別情報（Ｂ社cookieのクッキーＩＤ）を発行するとともに、発行した前記第２端末識別情報と、前記通信端末に設定された前記アクセス識別情報とを対応付けて記憶し、前記第１端末識別情報、及び前記第１端末識別情報に対応付けされたアクセス識別情報を前記第１収集サーバから受信するとともに、前記第２端末識別情報、及び前記第２端末識別情報に対応付けされたアクセス識別情報を前記第２収集サーバから受信し、前記アクセス識別情報によって前記第１端末識別情報と前記第２端末識別情報とを結合する情報結合部（結合サーバ５０）を有することを要旨とする。
【０００９】
本発明に係るアクセスログマッチングシステムは、一のサーバによって作成された装置識別情報と、他のサーバによって作成された装置識別情報とを特定サーバによって設定されたアクセス識別情報によって結合することができる。
【００１０】
従って、アクセスログマッチングシステムは、識別子の異なるサーバにおいて、それぞれ取得された通信端末のアクセスの履歴情報を識別子の異なるサーバ間で相互に利用することができる。
【発明の効果】
【００１１】
本発明によれば、ネットワークにおいて、ドメインネームの異なるサーバにおいてそれぞれ取得された通信端末のアクセスデータを統合可能にするアクセスログマッチングシステム及びアクセスログマッチング方法を提供できる。
【図面の簡単な説明】
【００１２】
【図１】図１は、本発明の実施形態に係るアクセスログマッチングシステムの構成図である。
【図２】図２は、アクセスログのマッチング方法を説明する模式図である。
【図３】図３は、アクセスログのマッチング方法を実現する情報収集サーバ３１を説明する構成図である。
【図４】図４は、アクセスログのマッチング方法を実現する登録サーバ５１を説明する構成図である。
【図５】図５は、アクセスログのマッチング方法においてクッキーをマッチングさせるマッチング方法を説明するシーケンス図である。
【図６】図６は、マッチングテーブルの一例を説明する図である。
【図７】図７は、モニター情報を説明する図である。
【図８】図８は、アクセスログのマッチング方法においてアクセスログを収集する方法を説明するシーケンス図である。
【図９】図９は、第２のマッチング方法を説明する模式図である。
【図１０】図１０は、第２のマッチング方法に係るアクセスログのマッチング方法を実現する結合サーバ５０Ａを説明する構成図である。
【図１１】図１１は、第２のマッチング方法において適用されるマッチング方法を説明するシーケンス図である。
【図１２】図１２は、第２のマッチング方法において適用されるマッチング方法において、通信端末２０、情報収集サーバ３１，４１、登録サーバ５１において交換されるデータセットを説明する模式図である。
【図１３】図１３は、第３のマッチング方法において適用されるマッチング方法を説明するシーケンス図である。
【発明を実施するための形態】
【００１３】
本発明に係るアクセスログマッチングシステム、及びアクセスログマッチング方法について、図面を参照して説明する。具体的には、（１）第１のマッチング方法、（２）第２のマッチング方法、（３）第３のマッチング方法、（４）その他の実施形態、について説明する。なお、以下の図面の記載において、同一または類似の部分には、同一または類似の符号を付している。ただし、図面は模式的なものであり、本発明に関係する部分のみを概念的に示している。
【００１４】
（１）第１のマッチング方法
第１のマッチング方法について、具体的には、（１−１）アクセスログマッチングシステムの概略構成、（１−２）アクセスログのマッチング方法の説明、（１−３）作用・効果について説明する。
【００１５】
（１−１）アクセスログマッチングシステムの概略構成
図１は、アクセスログマッチングシステム１の概略構成について説明する図である。アクセスログマッチングシステム１は、コンピュータネットワーク１０に接続可能な複数の通信端末２０１，２０２，…，２０ｎを備える。通信端末２０１，２０２，…，２０ｎは、例えば、携帯型電話機、パーソナルコンピュータなどであり、通信端末２０１，２０２，…，２０ｎを総称して通信端末２０と記す。
【００１６】
アクセスログマッチングシステム１は、コンピュータネットワーク上に通信端末２０によってアクセス可能なコンテンツを提供するコンテンツ格納部１０１，１０２，１０３…、コンテンツ格納部２０１，２０２，２０３…を備える。
【００１７】
実施形態では、コンテンツ格納部１０１，１０２，１０３は、それぞれ、識別子によって相互に識別可能とされたウェブサーバに接続されている。識別子としては、いわゆるドメインネームがあげられる。実施形態では、コンテンツ格納部１０１，１０２，１０３は、ドメインネームａａａ．ｃｏｍを有するウェブサーバ３０に接続されている。ウェブサーバ３０は、ウェブサイトに広告などのコンテンツを提供する提供業者Ａによって管理される。また、コンテンツ格納部２０１，２０２，２０３は、ドメインネームｂｂｂ．ｃｏｍを有するウェブサーバ４０に接続されている。ウェブサーバ４０は、ウェブサイトに広告などのコンテンツを提供する提供業者Ｂによって管理される。
【００１８】
コンテンツ格納部１０１には、ウェブサイト１１１，１１２，１１３…のデータが格納されている。コンテンツ格納部１０２，１０３には、ウェブサイト１１１，１１２，１１３などに組み込まれる、例えば、映像データ（Flash、ＭＰＥＧ等）、画像データ、テキストデータなどのコンテンツが含まれる。コンテンツには、ウェブページに掲載される広告が含まれる。コンテンツ格納部２０１には、ウェブサイト２１１，２１２，２１３…のデータが格納されている。コンテンツ格納部２０２，２０３も同様に、複数のコンテンツが格納されている。
【００１９】
コンテンツ格納部１０１，１０２，１０３…，２０１，２０２，２０３…などに格納されるウェブサイト１１１，１１２，１１３，２１１，２１２，２１３には、予めスクリプトが組み込まれている。例えば、スクリプトは、ウェブサイトを構成するウェブページに、ＨＴＭＬタグとして組み込まれる。また、ＨＴＭＬドキュメントの中でジャバスクリプト（ＪａｖａＳｃｒｉｐｔ）のタグとして規定されている。
【００２０】
スクリプトは、ウェブサイト１１１，１１２，１１３，２１１，２１２，２１３にアクセスしてきた通信端末２０に、通信端末２０のもつアクセスデータを後述の情報収集サーバ３１，４１に送信させる処理を実行させる。アクセスデータとは、通信端末２０に記憶された、通信端末２０がアクセスしたウェブサイトの履歴情報を含む。
【００２１】
アクセスログマッチングシステム１は、情報収集サーバ３１，４１を有する。情報収集サーバ３１は、ウェブサーバ３０によって提供されるウェブサイト１１１，１１２，１１３にアクセスしてきた通信端末２０を識別する装置識別情報と、ウェブサーバ３０によって提供されるウェブサイト１１１，１１２，１１３にアクセスしたアクセスデータとを収集する。
【００２２】
情報収集サーバ４１は、ウェブサーバ４０によって提供されるウェブサイト２１１，２１２，２１３にアクセスしてきた通信端末２０を識別する装置識別情報と、ウェブサーバ３０によって提供されるウェブサイト２１１，２１２，２１３にアクセスしたアクセスデータとを収集する。
【００２３】
情報収集サーバ３１，４１には、通信端末２０を識別する装置識別情報と、通信端末２０のアクセスデータを対応付けたアクセスログを格納するアクセスログデータベース（アクセスログＤＢ）３２，４２が接続されている。
【００２４】
実施形態では、装置識別情報として、いわゆるクッキー（cookie）が使用される。クッキーには、通信端末２０がアクセスしたウェブサイトの履歴、ウェブサイトを閲覧した日時、閲覧回数などが記述できる。クッキーは、通信端末２０がウェブサイトにアクセスした際に、ウェブサイトを提供するサーバから通信端末２０に送信される。実施形態では、アクセスデータの実体は、情報収集サーバ３１，４１に保持されており、クッキーを識別するクッキーＩＤが使用される。
【００２５】
すなわち、アクセスログＤＢ３２，４２には、予めスクリプトが添付されたウェブサイト１１１，１１２，１１３、２１１，２１２，２１３にアクセスしてきた全ての通信端末２０のアクセスログがクッキーＩＤに対応付けて格納される。
【００２６】
ウェブサーバ３０は、情報収集サーバ３１によって収集され、アクセスログＤＢ３２に格納されたアクセスログを取得し、アクセスログに基づいて、ウェブサイト１１１，１１２，１１３に組み込むコンテンツを選択する。また、ウェブサーバ４０は、情報収集サーバ４１によって収集され、アクセスログＤＢ４２に格納されたアクセスログを取得し、アクセスログに基づいて、ウェブサイト２１１，２１２，２１３に組み込むコンテンツを選択する。
【００２７】
具体的には、ウェブサーバ３０は、自身が提供するウェブサイト１１１，１１２，１１３，…に対する通信端末２０の閲覧履歴、閲覧回数に基づいて、自身が提供するウェブサイト１１１，１１２，１１３に設定された広告表示枠に表示する広告コンテンツを選択して表示することができる。
【００２８】
アクセスログマッチングシステム１は、結合サーバ５０と、登録サーバ５１とを有する。結合サーバ５０は、ウェブサーバ３０において作成されたクッキーに基づいて作成されたアクセスログと、ウェブサーバ４０において作成されたクッキーに基づいて作成されたアクセスログとを結合する。すなわち、情報収集サーバ３１によって収集されたアクセスログと情報収集サーバ４１によって収集されたアクセスログとを取得し、結合する。
【００２９】
結合サーバ５０には、結合アクセスログデータベース（結合アクセスログＤＢ）７０が接続される。結合アクセスログＤＢ７０は、アクセスログＤＢ３２から送信されたアクセスログと、アクセスログＤＢ４２から送信されたアクセスログとを結合した結合アクセスログが記憶される。或いは、ある１つの通信端末２０に対してドメインの異なるウェブサーバ３０，４０によって生成された別々のクッキーを関連付ける（マッチングする）クッキーマッチングテーブルが記憶される。
【００３０】
アクセスログＤＢ３２から送信されたアクセスログには、情報収集サーバ３１によって作成されたクッキーと、通信端末２０がウェブサーバ３０によって提供されるウェブサイトにアクセスした履歴情報であるアクセスデータとが対応付けされている。また、アクセスログＤＢ４２から送信されたアクセスログには、情報収集サーバ４１によって作成されたクッキーと、通信端末２０がウェブサーバ４０によって提供されるウェブサイトにアクセスした履歴情報であるアクセスデータとが対応付けされている。
【００３１】
登録サーバ５１は、通信端末２０の履歴情報を収集するサービスに登録する登録サイトを提供する。登録サーバ５１は、通信端末２０毎に個別の調査サイト６００のＵＲＬを提供する。すなわち、通信端末２０に対してユニークな調査サイト６００のＵＲＬ（ユニークＵＲＬ）を提供する。登録サーバ５１には、ウェブサイトへのアクセスログの収集に登録した通信端末２０を使用してウェブサイトを閲覧する閲覧者に関する情報を格納するモニターデータベース６０が接続されている。
【００３２】
登録サーバ５１は、通信端末２０の所有者（すなわち、ウェブサイトの閲覧者）に対して、アクセスデータの調査に登録するリクルートメールを通信端末２０に対して送るとともに、閲覧者に登録に必要な項目を入力させるための調査サイト６００を提供する。提供方法の一例として、登録サーバ５１は、閲覧者の通信端末２０に対して送るリクルートメールに調査サイト６００のＵＲＬを添付して送付する。
【００３３】
調査サイト６００は、ウェブサイトへのアクセスデータの調査に登録する閲覧者のプロファイルを入力できるように構成されている。プロファイルとは、性別、年齢、居住地、職業、嗜好性、趣味などである。例えば、調査サイト６００は、登録する閲覧者のプロファイルをアンケート形式で入力することができるように構成されている。入力された閲覧者のプロファイルは、モニターデータベース（モニターＤＢという）４０に格納される。
【００３４】
調査サイト６００には、スクリプト６０１が添付されている。スクリプト６０１は、調査サイト６００にアクセスした通信端末２０にクッキーを発行する。また、スクリプト６０１は、調査サイト６００にアクセスした通信端末２０のクッキー（またはクッキーを識別するクッキーＩＤ）と、識別サイト６００のＵＲＬとを情報収集サーバ３１，４１のそれぞれに送る。スクリプトは、ウェブサイト（複数のウェブページの集合）を記述するＨＴＭＬに、スクリプトタグとして組み込まれている。
【００３５】
上述の構成を有するアクセスログマッチングシステム１は、通信端末がドメインネームの異なるウェブサーバによって提供されたウェブサイトにアクセスしたアクセスログを結合（マッチング）させて、ドメインネームの異なるサーバ間において相互にアクセスログを使用可能にする。実施形態において、登録サーバ５１は、特定サーバを構成する。
【００３６】
（１−２）アクセスログのマッチング方法の説明
ドメインネームの異なるサーバ間におけるアクセスログの第１のマッチング方法について、図２〜図５を用いて説明する。第１のマッチング方法は、情報収集サーバ３１によって収集された通信端末２０のアクセスログと、情報収集サーバ４１によって収集された通信端末２０のアクセスログとを調査サイトのＵＲＬを用いて結合する方法である。第１のマッチング方法では、通信端末２０に対して、通信端末２０毎に個別の調査サイト６００のＵＲＬを提供する。すなわち、通信端末２０に対してユニークな調査サイト６００のＵＲＬ（ユニークＵＲＬ）を提供する。
【００３７】
情報収集サーバ３１によって収集された通信端末２０のアクセスログとは、通信端末２０に対して送信したクッキーのクッキーＩＤと、通信端末２０がウェブサーバ３０によって提供されるウェブサイト１１１，１１２，１１３にアクセスしたアクセスデータとが対応付けされたテーブルである。また、情報収集サーバ４１によって収集される通信端末２０のアクセスログとは、通信端末２０に対して送信したクッキーのクッキーＩＤと、通信端末２０がウェブサーバ４０によって提供されるウェブサイト２１１，２１２，２１３にアクセスしたアクセスデータとが対応付けされたテーブルである。
【００３８】
図２は、第１のマッチング方法の概略を説明する概略図である。結合サーバ５０は、スクリプト６０１が組み込まれた調査サイト６００にアクセスした通信端末２０から、情報収集サーバ３１によって収集され、アクセスログＤＢ３２に格納されたアクセスログ（調査サイト６００にアクセスした全ての通信端末の全てのアクセスログ：全数データ３２Ｄという）を取得し結合アクセスログＤＢ７０に格納する。また、情報収集サーバ４１によって収集され、アクセスログＤＢ４２に格納された全数データ４２Ｄを取得する。
【００３９】
結合サーバ５０は、全数データ３２Ｄ，４２Ｄのなかから共通する調査サイト６００のユニークＵＲＬを有するクッキーＩＤを抽出し、調査サイト６００のユニークＵＲＬでクッキーを関連付けしたクッキーマッチングテーブルを作成する。
【００４０】
図２に示すように、調査サイト６００に添付されたスクリプト６０１は、スクリプト６１１とスクリプト６１２とを含む。スクリプト６１１は、通信端末２０がアクセスした調査サイト６００のユニークＵＲＬを情報収集サーバ３１に送信する処理を通信端末２０に実行させる。スクリプト６１２は、通信端末２０がアクセスした調査サイト６００のユニークＵＲＬを情報収集サーバ４１に送信する処理を通信端末２０に実行させる。
【００４１】
図３は、ウェブサーバ３０を説明する図である。情報収集サーバ４１も情報収集サーバ３１と同様の構成にできるため、ここでは、情報収集サーバ３１について説明する。
【００４２】
情報収集サーバ３１は、制御部３０１と、通信部３０２と、操作部３０３と、表示部３０４と、記憶部３０５とを有する。なお、音声出力部３０６を備えていてもよい。制御部３０１は、例えばＣＰＵによって構成され、ウェブサーバ３０の各種機能を制御する。制御部３０１の詳細な構成は後述する。
【００４３】
通信部３０２は、コンピュータネットワーク１０を介して、通信端末２０、登録サーバ５１などのコンピュータネットワーク１０に存在する通信機器と通信する。また、通信部３０２は、コンテンツ格納部１０１，１０２，１０３、アクセスログデータベース３２と通信する。
【００４４】
操作部３０３は、テンキーやファンクションキーなどによって構成され、操作者からの入力を受け付けるインターフェイスである。また、操作部３０３は、表示部３０４に表示された文字列などを選択したりするポインティングデバイスであるマウスも含まれる。
【００４５】
表示部３０４は、液晶表示パネル、液晶表示パネルドライバなどを有し、通信部３０２を介して受信した画像や制御部３０１によって作成された画像を表示したり、操作内容を表示したりする。
【００４６】
記憶部３０５は、例えば、半導体メモリ、ディスク状記録媒体であり、制御部３０１における処理で用いられる各種情報を記憶する。或いは、制御部３０１における各種制御を実行するためのプログラムが記憶されている。また、記憶部３０５は、クッキー作成部３１１において作成されたクッキーを一時的に保管する。
【００４７】
音声出力部３０６は、スピーカ、アンプ、音声出力ドライバなどを有し、操作時に関連する操作音、確認音、警告音などを出力する。なお、実施形態において、音声出力部３０６は必須でない。
【００４８】
次に、制御部３０１の構成を説明する。制御部３０１は、クッキー作成部３１１と、アクセスログ送信制御部３１２と、コンテンツ選択部３１３と、ウェブサイト提供部３１４とを有する。
【００４９】
クッキー作成部３１１は、通信端末２０がウェブサーバ３０によって提供されるウェブサイト１１１，１１２，１１３などにアクセスした際にクッキーを作成し、通信端末２０に送信する。クッキーには、クッキーを識別するクッキー識別情報（クッキーＩＤ）と、閲覧した日時情報、ウェブサイトの閲覧回数、アクセスした通信端末のＯＳ情報、及びブラウザ情報などのアクセスデータを記録させることができる。通信端末２０に受け渡される内容は、クッキーＩＤだけであってもよい。アクセスデータのデータ実体は、記憶部３０５や、アクセスログＤＢ３２に保持されてもよい。クッキー作成部３１１は、ブラウザが既にクッキーを保有していれば、クッキーを作成しない。
【００５０】
アクセスログ送信制御部３１２は、アクセスログＤＢ３２に格納されたアクセスログを結合サーバ５０に送信する制御を行う。
【００５１】
コンテンツ選択部３１３は、通信端末２０のウェブサーバ３０によって提供されるウェブサイトのアクセスデータ、ウェブサーバ４０以外（実施形態では、ウェブサーバ４０）のによって提供されるウェブサイトのアクセスデータ、更には、両方のアクセスデータに基づいて、ウェブサイトに用意されたコンテンツ表示スペースに表示するコンテンツをコンテンツ格納部１０２，１０３から選択する。
【００５２】
ウェブサイト提供部３１４は、通信端末２０において表示されるウェブサイトのデータと、ウェブサイト１１１に用意されたコンテンツ表示スペースに表示するコンテンツのデータとを通信端末２０に提供する。
【００５３】
図４は、結合サーバ５０を説明する構成図である。結合サーバ５０は、制御部５０１と、通信部５０２と、操作部５０３と、表示部５０４と、音声出力部５０５と、記憶部５０６とを備える。
【００５４】
制御部５０１は、例えばＣＰＵによって構成され、結合サーバ５０の各種機能を制御する。制御部５０１の詳細な構成は後述する。
【００５５】
通信部５０２は、コンピュータネットワーク１０を介して、通信端末２０、情報収集サーバ３１、情報収集サーバ４１などのコンピュータネットワーク１０に存在する通信機器と通信する。また、通信部５０２は、モニターデータベース６０と、結合アクセスログＤＢ７０と通信する。
【００５６】
操作部５０３は、テンキーやファンクションキーなどによって構成され、操作者からの入力を受け付けるインターフェイスである。また、操作部５０３は、表示部５０４に表示された文字列などを選択したりするポインティングデバイスであるマウスも含まれる。
【００５７】
表示部５０４は、液晶表示パネル、液晶表示パネルドライバなどを有し、通信部５０２を介して受信した画像や制御部５０１によって作成された画像を表示したり、操作内容を表示したりする。
【００５８】
音声出力部５０５は、スピーカ、アンプ、音声出力ドライバなどを有し、操作時に関連する操作音、確認音、警告音などを出力する。
【００５９】
記憶部５０６は、例えば、半導体メモリ、ディスク状記録媒体であり、制御部５０１における処理で用いられる各種情報を記憶する。或いは、制御部５０１における各種制御を実行するためのプログラムが記憶されている。
【００６０】
次に、制御部５０１の構成を説明する。制御部５０１は、クッキーマッチングテーブル作成部５１１、アクセスログ取得部５１２、結合アクセスログ作成部５１３、プロファイルマッチング処理部５１４を備える。
【００６１】
クッキーマッチングテーブル作成部５１１は、Ａ社cookieとＢ社cookieとアンケートＩＤとが調査サイトのユニークＵＲＬによって関連付けされたクッキーマッチングテーブルを作成する。
【００６２】
アクセスログ取得部５１２は、アクセスログＤＢ３２，４２からサーバ毎のアクセスログを取得するとともに、情報収集サーバ３１，４１にアクセスしてきた通信端末２０に対して情報収集サーバ３１，４１が作成したクッキーＩＤを取得する。
【００６３】
結合アクセスログ作成部５１３は、アクセスログ取得部５１２において取得されたサーバ毎に作成されたアクセスログの全数データ３１Ｄ，４１Ｄから、個別の調査サイト６００のＵＲＬを含むデータを抽出し、個別の調査サイト６００のＵＲＬに対して対応付けされた結合アクセスログを作成する。
【００６４】
第１のマッチング方法によって、ドメインネームの異なるウェブサーバにおいて作成されたクッキーと通信端末２０とを関連付ける。図５は、第１のマッチング方法を説明するシーケンス図である。以下、第１のマッチング方法について説明する。
【００６５】
登録サーバ５１は、通信端末２０の所有者（すなわち、ウェブサイトの閲覧者）に、アクセスデータの調査への登録を促す処理を実行する。登録サーバ５１が閲覧者の通信端末２０に対して、調査サイト６００のＵＲＬを送信する方法の一例として、あるウェブサイトにコンテンツのアクセス調査に協力してくれるユーザを募る旨の記事とリンク先を掲載し、リンク先にアクセスしてきたユーザに電子メールアドレスを入力させる方法が挙げられる。
【００６６】
登録サーバ５１は、入力された電子メールアドレスに、調査サイト６００のＵＲＬを送付する。登録サーバ５１は、ドメインネームの異なるサーバ間においてアクセスログを共有可能にするサービスに登録する閲覧者の通信端末２０（例えば、ＰＣ）に調査サイト６００のＵＲＬが添付されたリクルートメールを送信する（Ｓ１）。
【００６７】
調査対象の閲覧者（調査対象者）の通信端末２０は、電子メールに添付された調査サイト６００のＵＲＬを取得する。第１のマッチング方法では、通信端末２０に送信される調査サイト６００のＵＲＬは、閲覧者の通信端末２０毎に異なっている。各調査サイト６００には、スクリプトＳａ，Ｓｂ（図２のスクリプト６１１、スクリプト６１２）が添付されている。
【００６８】
通信端末２０が調査サイト６００のＵＲＬにアクセスすると（Ｓ２）、通信端末２０においてスクリプトＳａ，Ｓｂが実行される（Ｓ３−１，３−２）。スクリプトＳａは、調査サイト６００のユニークＵＲＬと通信端末２０のアクセスデータとを情報収集サーバ３１に送信する処理を通信端末２０に実行させる。また、スクリプトＳｂは、調査サイト６００のユニークＵＲＬと通信端末２０のアクセスデータとを情報収集サーバ４１に送信する処理を通信端末２０に実行させる。
【００６９】
閲覧者は、アクセスした調査サイト６００において、性別、年齢、居住地、職業、嗜好性などのモニター情報を入力する（Ｓ４）。登録サーバ５１は、閲覧者毎の入力フォームに対してアンケートＩＤを作成する。入力されたモニター情報は、モニターＤＢ６０に送信され、格納される（Ｓ６）。
【００７０】
情報収集サーバ３１は、ユニークＵＲＬとアクセスデータとを受信すると、クッキー（ここでは、Ａ社cookieと表記する）を作成し、リプライとして通信端末２０に送信する（Ｓ５−１）。通信端末２０は、Ａ社cookieを記憶する。情報収集サーバ３１は、通信端末２０に送信したＡ社cookieと通信端末２０から受信したユニークＵＲＬとを結合サーバ５０に送信する（Ｓ７−１）。
【００７１】
図２には、Ａ社cookieとして、ａ００００１，ａ００００２，…，ｃ００００７などが例示されている。図２に示された全数データＤ３２は、情報収集サーバ３１によって提供されるウェブサイトのＵＲＬにアクセスした時間と、情報収集サーバ３１によって作成されたクッキーとが対応付けされたテーブルになっている。例えば、時間：２０１００３３１０９３００５に、ＵＲＬ：ｖｉｄｅｏｒ．ｊｐ／ａｎｋｅｔｅ．００１．ｈｔｍｌにアクセスした通信端末２０に対して、クッキー：ａ００００１を作成したことが示されている。アクセスログには、ウェブサーバ３０によって提供される全てのウェブサイト（ＵＲＬ）に対して、アクセスされた時間と、アクセスした通信端末２０に対して送信したクッキーとが対応付けされている。
【００７２】
同様に、情報収集サーバ４１に対して、通信端末２０のアクセスデータと、通信端末２０に送付された通信端末２０にユニークＵＲＬとが送信される。情報収集サーバ４１は、ユニークＵＲＬとアクセスデータとを受信すると、クッキー（Ｂ社cookie）を作成し、リプライとして通信端末２０に送信する（Ｓ５−２）。情報収集サーバ４１は、通信端末２０に送信したＢ社cookieと通信端末２０から受信したユニークＵＲＬとを結合サーバ５０に送信する（Ｓ７−２）。通信端末２０は、Ｂ社cookieを記憶する。図２には、Ｂ社cookieとして、９ａｂｃｄ４，９ａｂｃｄ５，…，７ｚｑｐｃ３，…，６ｃｄｆｇ３などが例示されている。
【００７３】
結合サーバ５０は、情報収集サーバ３１から受信したＡ社cookieとユニークＵＲＬと、情報収集サーバ４１から受信したＢ社cookieとユニークＵＲＬとからクッキーマッチングテーブルを作成する。また、クッキーマッチングテーブルとモニター情報とを紐付けする（Ｓ８）。
【００７４】
図６は、結合サーバ５０において作成されたクッキーマッチングテーブルの一例を説明する図である。クッキーマッチングテーブルには、Ａ社cookieのクッキーＩＤとＢ社cookieのクッキーＩＤとアンケートＩＤとが調査サイトのユニークＵＲＬによって対応付けされている。
【００７５】
図７は、ウェブサイトへのアクセス状況の調査に登録する閲覧者によって、調査サイト６００において入力され、モニターＤＢ６０に格納されたモニタープロファイルを示す図である。モニター情報には、モニターを識別するモニタＩＤ、使用者に関するモニタープロファイルとして、性別、年齢、居住地、設問に対する回答等がある。アクセスログテーブルとモニター情報とは、調査サイト６００において入力されたアンケートに付されるアンケートＩＤによって関連付けされる。
【００７６】
通信端末２０のアクセスログを収集する収集方法について説明する。図８は、アクセスログの収集方法を説明するシーケンス図である。
【００７７】
通信端末２０は、ウェブサーバ３０によって提供されるウェブサイトＸ（図１におけるウェブサイト１１１，１１２，１１３，…の何れかに相当）にアクセスする（Ｓ１１）と、通信端末２０は、ウェブサーバ３０からリプライとしてウェブサイトＸのＨＴＭＬを受信する（Ｓ１２）。ウェブサーバ３０によって提供されるウェブサイト１１１，１１２，１１３，…の全てには、通信端末２０のアクセスを測定するための測定タグが組み込まれている。
【００７８】
通信端末２０がウェブサイトＸにアクセスすると、測定タグとして組み込まれたスクリプトが実行され、情報収集サーバ３１に対して、ウェブサイトＸにアクセスしたアクセスデータと、Ａ社cookieとを送信するとともに、ウェブビーコンを要求する（Ｓ１３）。情報収集サーバ３１は、通信端末２０のアクセスログを作成するとともに、リプライとしてウェブビーコンを送信する（Ｓ１４）。
【００７９】
通信端末２０は、Ｓ１１とは別のタイミングでウェブサーバ４０によって提供されるウェブサイトＹ（図１におけるウェブサイト２１１，２１２，２１３，…の何れかに相当）にアクセスする（Ｓ２１）と、通信端末２０は、ウェブサーバ３０からリプライとしてウェブサイトＹのＨＴＭＬを受信する（Ｓ２２）。ウェブサーバ３０によって提供されるウェブサイト２１１，２１２，２１３，…の全てには、通信端末２０のアクセスを測定するための測定タグが組み込まれている。通信端末２０がウェブサイトＹにアクセスすると、Ｓ１３〜Ｓ１４と同様にして、情報収集サーバ４１は、通信端末２０のアクセスログを作成する（Ｓ２３〜Ｓ２４）。
【００８０】
情報収集サーバ３１，４１は、所定のタイミングでアクセスログを結合サーバ５０に送信する（Ｓ２５−１，Ｓ２５−２）。結合サーバ５０では、結合アクセスログ作成部５１３がアクセスログ取得部５１２において取得されたサーバ毎に作成されたアクセスログの全数データ３１Ｄ，４１Ｄから、作成されたクッキーマッチングテーブル上に記録されたクッキーと合致するレコードを全数データ３１Ｄ，４１Ｄからそれぞれ抽出して結合アクセスログを作成する。
【００８１】
（１−３）作用・効果
第１のマッチング方法によれば、アクセスログマッチングシステム１は、情報収集サーバ３１によって作成されたクッキーと、他のサーバによって作成されたクッキーとを登録サーバ５１によってアクセスした通信端末２０ごとに設定された固有情報としてのユニークＵＲＬによって結合し、クッキーマッチングテーブルを作成する。これにより、情報収集サーバ３１によって提供される通信端末２０のアクセスログと、情報収集サーバ４１によって提供される通信端末２０のアクセスログとを結合することができる。
【００８２】
従って、ウェブサイトを閲覧する閲覧者の通信端末２０において、例えば、異なるドメインネームのサーバによってそれぞれ取得されたアクセスログを統合させることができる。
【００８３】
また、実施形態にかかる第１のマッチング方法によれば、通信端末２０にアプリケーションをインストールすることなく、ドメインネームの違いによるサーバ間の隔たりによらず、通信端末２０がアクセスしたウェブサイトの履歴情報を調査できる。
【００８４】
また、アクセスログマッチングシステム１によれば、ウェブサイトを閲覧する閲覧者の通信端末２０において、ドメインネームの違いによるサーバ間の隔たりによらず、通信端末２０がアクセスしたウェブサイトの履歴情報に基づいて、閲覧者の通信端末２０に映像データ、画像データ、テキストデータを含むコンテンツを提供するといった応用が可能である。
【００８５】
実施形態に係るアクセスログマッチングシステム１では、登録サーバ５１は、通信端末２０ごとに異なる調査サイト６００のＵＲＬ（ユニークＵＲＬ）を提供する。登録サーバ５１は、例えば、あるウェブサイトにコンテンツのアクセス調査に協力してくれるユーザを募る旨の記事とリンク先を掲載し、リンク先にアクセスしてきたユーザの閲覧者の通信端末２０に対して、調査サイト６００のＵＲＬを電子メールなどに添付して送信する。このとき、通信端末２０に個別に異なる識別情報を与えることができる。このように、簡便な手法によって、アクセスログマッチングシステム１において、通信端末２０を識別することが可能になる。
【００８６】
（２）第２のマッチング方法
次に、実施形態にかかるの第２のマッチング方法について説明する。第２のマッチング方法において第１マッチング方法と同様の機能を有する構成には、同一の番号を付して詳細な説明を省略する。具体的に、（２−１）第２のマッチング方法の説明、（２−２）スクリプトの説明、（２−３）ウェブサーバの構成の説明、（２−４）結合サーバの構成の説明、（２−５）アクセスログのマッチング方法の説明、（２−６）アクセスログの収集方法の説明、（２−７）作用・効果について説明する。
【００８７】
（２−１）第２のマッチング方法の説明
第２のマッチング方法について、図９〜図１２を用いて説明する。以下の説明において、第１のマッチング方法と同一の構成には、同一の番号を付け、詳細な説明は省略する。図９に示す方法では、結合サーバ５０が情報収集サーバ３１により作成されたクッキーＩＤ及び情報収集サーバ４１により作成されたクッキーＩＤをパラメータとして受信し、クッキーを作成する。
【００８８】
第２のマッチング方法では、情報収集サーバ３１により作成されたクッキーＩＤ及び情報収集サーバ４１により作成されたクッキーＩＤをパラメータとして含むクッキーのクッキーＩＤによって、情報収集サーバ３１によって収集されたアクセスログと、情報収集サーバ４１によって収集されたアクセスログとを紐付けする。
【００８９】
第２のマッチング方法では、情報収集サーバ３１により作成されたクッキーＩＤ及び情報収集サーバ４１により作成されたクッキーＩＤをパラメータとして含むクッキーがマッチングＤＢ５２に格納される。
【００９０】
（２−２）スクリプトの説明
第２のマッチング方法では、調査サイト６００に添付されたスクリプト６０１には、スクリプト６２１、スクリプト６２２、及びスクリプト６２３が含まれる。スクリプト６２１は、調査サイト６００のＵＲＬと、調査サイト６００のＵＲＬにアクセスした通信端末２０のクッキーＩＤとを情報収集サーバ３１に送信する処理を実行させる。スクリプト６２２は、調査サイト６００のＵＲＬと、調査サイト６００のＵＲＬにアクセスした通信端末２０のクッキーＩＤとを情報収集サーバ４１に送信する処理を実行させる。
【００９１】
スクリプト６２３は、調査サイト６００にアクセスした通信端末２０のアクセスデータと、通信端末２０に保持された情報収集サーバ３１において作成されたクッキーのクッキーＩＤと、通信端末２０に保持された情報収集サーバ４１において作成されたクッキーのクッキーＩＤと、調査サイト６００において作成された識別情報とを結合サーバ５０に送信する処理を実行させる。
【００９２】
（２−３）ウェブサーバの構成の説明
第２のマッチング方法では、情報収集サーバ３１及び情報収集サーバ４１の構成は、図３に示す情報収集サーバ３１と同一とすることができる。
【００９３】
（２−４）結合サーバの構成の説明
図１０は、第２のマッチング方法において適用される結合サーバ５０Ａを説明する構成図である。結合サーバ５０Ａの制御部５０１は、調査サイト６００のＵＲＬと、情報収集サーバ３１により作成されたクッキーＩＤと、情報収集サーバ４１により作成されたクッキーＩＤとをパラメータとして含むクッキーを作成するクッキー作成部５１５を有する。クッキー作成部５１５において作成されたクッキーのクッキーＩＤは、通信端末２０に送信され、通信端末２０に保存される。
【００９４】
第２のマッチング方法では、クッキーマッチングテーブル５２Ｄが記憶されたマッチングＤＢ５２が結合サーバ５０に接続されている。
【００９５】
マッチングＤＢ５１は、クッキー作成部５１５によって作成されたクッキーのクッキーＩＤと、通信端末２０のアクセスデータとを対応付けして保存する。マッチングＤＢ５１は、結合サーバ５０Ａの内部に設けられていてもよい。また、記憶部５０６がマッチングＤＢ５１を兼ねていてもよい。
【００９６】
（２−５）アクセスログのマッチング方法の説明
図１１は、アクセスログの第２のマッチング方法を説明するシーケンス図である。図１２は、第２のマッチング方法において、通信端末２０、情報収集サーバ３１，４１、結合サーバ５０において交換されるデータセットを説明する模式図である。登録サーバ５１は、通信端末２０の所有者（すなわち、ウェブサイトの閲覧者）に、アクセスデータの調査への登録を促す処理を実行する。
【００９７】
登録サーバ５１は、ドメインネームの異なるサーバ間においてアクセスログを共有可能にするサービスに登録する閲覧者の通信端末２０（例えば、ＰＣ）に調査サイト６００のＵＲＬが添付されたリクルートメールを送信する（Ｓ３１）。調査対象の閲覧者（調査対象者）の通信端末２０は、電子メールに添付された調査サイト６００のＵＲＬを取得する。調査サイト６００には、スクリプトＳａ，Ｓｂ，Ｓｘ（図９のスクリプト６２１，６２２，６２３）が添付されている。
【００９８】
通信端末２０が調査サイト６００のＵＲＬにアクセスする（Ｓ３２）。このとき、図１２（ａ）に示すデータセットが通信端末２０から結合サーバ５０に送信される。送信元アドレスは、通信端末２０のアドレスであり、送信先アドレスは、結合サーバ５０のアドレスである。通信端末２０が調査サイト６００のＵＲＬにアクセスすると、結合サーバ５０から、図１２（ｂ）に示す調査サイト６００のデータが送信される。
【００９９】
また、通信端末２０が調査サイト６００のＵＲＬにアクセスすると、通信端末２０においてスクリプトＳａ，Ｓｂが実行される（Ｓ３３−１，３３−２）。スクリプトＳａは、調査サイト６００のＵＲＬと通信端末２０のアクセスデータとを情報収集サーバ３１に送信する処理を通信端末２０に実行させる。また、スクリプトＳｂは、調査サイト６００のＵＲＬと通信端末２０のアクセスデータとを情報収集サーバ４１に送信する処理を通信端末２０に実行させる。
【０１００】
また、通信端末２０が調査サイト６００のＵＲＬにアクセスすると、登録サーバ５１は、アンケートＩＤを作成する。
【０１０１】
情報収集サーバ３１は、調査サイト６００のＵＲＬとアクセスデータとを受信すると、クッキー（Ａ社cookieと表記する）を作成し、リプライとして通信端末２０に送信する（Ｓ３４−１、図１２（ｄ）のデータセット）。通信端末２０は、情報収集サーバ３１により作成されたＡ社cookieを記憶する。
【０１０２】
同様に、情報収集サーバ４１は、調査サイト６００のＵＲＬとアクセスデータとを受信すると、クッキー（Ｂ社cookieと表記する）を生成し、リプライとして通信端末２０に送信する（Ｓ３４−２、図１２（ｄ）のデータセット）。通信端末２０は、情報収集サーバ４１により作成されたＢ社cookieを記憶する。
【０１０３】
続いて、スクリプトＳｘが実行される。すなわち、調査サイト６００のＵＲＬと、通信端末２０に記憶されたＡ社cookieと、通信端末２０に記憶されたＢ社cookieと、登録サーバ５１において作成されたアンケートＩＤとを結合サーバ５０Ａに送信する処理を実行させる。通信端末２０から結合サーバ５０Ａに、図１２（ｅ）のデータが送られる（Ｓ３５）。
【０１０４】
結合サーバ５０Ａは、調査サイト６００のＵＲＬと、情報収集サーバ３１により作成されたクッキーＩＤ（Ａ社cookie）と、情報収集サーバ４１により作成されたクッキーＩＤ（Ｂ社cookie）とをパラメータとして受信し、クッキーを作成し、作成したクッキーのクッキーＩＤ（Ｘcookieと表記する）をリプライとして通信端末２０に送信する（Ｓ３６）。すなわち、図１２（ｆ）に示すデータが結合サーバ５０Ａから通信端末２０に送信される。通信端末２０は、結合サーバ５０Ａにより作成されたＸcookieを記憶する。
【０１０５】
結合サーバ５０Ａは、調査サイト６００のＵＲＬと、Ａ社cookieのクッキーＩＤと、Ｂ社cookieのクッキーＩＤと、アンケートＩＤとを対応付けしたクッキーマッチングテーブルを作成する。
【０１０６】
図９には、結合サーバ５０Ａにおいて作成されたクッキーマッチングテーブルの一例が説明されている。クッキーマッチングテーブルには、Ａ社cookieとＢ社cookieとアンケートＩＤとが結合サーバ５０Ａにより作成されたクッキーにより関連付けされている。
【０１０７】
閲覧者は、アクセスした調査サイト６００において、性別、年齢、居住地、職業、嗜好性などのモニター情報を入力する（Ｓ３７）。登録サーバ５１は、入力されたモニター情報を閲覧者毎の入力フォームに作成されたアンケートＩＤと関連付けてモニターＤＢ６０に格納する（Ｓ３８）。
【０１０８】
結合サーバ５０Ａによって作成されたクッキーマッチングテーブル５２Ｄとモニター情報とは、調査サイト６００において入力されたアンケートに付されるアンケートＩＤによって紐付けされる。
【０１０９】
（２−６）アクセスログの収集方法の説明
通信端末２０のアクセスログを収集する収集方法は、図８を用いて説明したアクセスログの収集方法を適用できる。
【０１１０】
（２−７）作用・効果
第２のマッチング方法によれば、結合サーバ５０は、情報収集サーバ３１，４１ごとに個別に作成された複数のクッキー情報のクッキーＩＤとが対応付けされたテーブルを有するため、異なるドメインネームのサーバにおいてそれぞれ取得された通信端末２０のドメイン毎のアクセスログをマッチングさせることができる。
【０１１１】
従って、ウェブサイトを閲覧する閲覧者の通信端末２０において、例えば、ドメインネームなどの識別子によるサーバ間の隔たりなく、より多くのアクセスログに基づいて、通信端末２０に映像データ、画像データ、テキストデータを含むコンテンツや、広告コンテンツを提供できる。すなわち、ネットワークにおけるコンテンツのターゲッティング配信の精度を向上させることができる。
【０１１２】
（３）第３のマッチング方法
次に、第３のマッチング方法について説明する。第２のマッチング方法において第１のマッチング方法と同様の機能を有する構成には、同一の番号を付して詳細な説明を省略する。
【０１１３】
（３−１）アクセスログのマッチング方法の説明
図１３は、第３のマッチング方法を説明するシーケンス図である。第３のマッチング方法は、ＨＴＴＰリダイレクト機能を用いる方法である。登録サーバ５１は、入力された電子メールアドレスに、調査サイト６００のＵＲＬを送付する。登録サーバ５１は、ドメインネームの異なるＡ社とＢ社のサーバ（すなわち、情報収集サーバ３１，４１）間においてアクセスログを共有可能にするサービスに登録する閲覧者の通信端末２０（例えば、ＰＣ）に調査サイト６００のＵＲＬが添付されたリクルートメールを送信する（Ｓ４１）。通信端末２０は、電子メールで調査サイト６００のＵＲＬを取得する。
【０１１４】
通信端末２０は、調査サイト６００のＵＲＬにアクセスする（Ｓ４２）。調査サイト６００を提供する情報収集サーバ３１は、通信端末２０にリプライを送信する（Ｓ４３）。通信端末２０は、リプライを受信すると、情報収集サーバ３１にウェブビーコンを要求する（Ｓ４４）。
【０１１５】
情報収集サーバ３１は、通信端末２０からのウェブビーコンの要求に対して、クッキーを作成し（Ａ社cookie）、作成したクッキーのクッキーＩＤをＨＴＴＰリダイレクト機能によって、情報収集サーバ３１によって提供されるウェブサイトのＵＲＬ若しくはアドレスを通信端末２０に送信する（Ｓ４５）。
【０１１６】
リダイレクトにしたがって、通信端末２０は、情報収集サーバ４１によって提供されるウェブサイトに転送される。このとき、通信端末２０は、情報収集サーバ４１にウェブビーコンを要求するとともに、Ａ社cookieのクッキーＩＤをパラメータとして送信する（Ｓ４６）。
【０１１７】
情報収集サーバ４１は、通信端末２０からのウェブビーコン要求に対して、クッキーを作成し（Ａ社cookieのクッキーＩＤをパラメータとして有するＢ社cookie）、作成したクッキーのクッキーＩＤと、結合サーバ５０によって提供されるウェブサイトのＵＲＬ若しくはアドレスを通信端末２０に送信する（Ｓ４７）。
【０１１８】
リダイレクトにしたがって、通信端末２０は、結合サーバ５０によって提供されるウェブサイトに転送される。このとき、通信端末２０は、結合サーバ５０にウェブビーコンを要求するとともに、Ａ社cookieのクッキーＩＤとＢ社cookieのクッキーＩＤとをパラメータとして送信する（Ｓ４８）。結合サーバ５０は、リプライとしてウェブビーコンを通信端末２０に送信する。
【０１１９】
閲覧者は、アクセスした調査サイト６００において、性別、年齢、居住地、職業、嗜好性などのモニター情報を入力する（Ｓ５０）。登録サーバ５１は、入力されたモニター情報を閲覧者毎の入力フォームに作成されたアンケートＩＤと関連付けてモニターＤＢ６０に格納する（Ｓ５１）。結合サーバ５０Ａによって作成されたクッキーマッチングテーブルとモニター情報とは、調査サイト６００において入力されたアンケートに付されるアンケートＩＤによって紐付けされる。
【０１２０】
（３−２）作用・効果
第３のマッチング方法では、ＨＴＴＰリダイレクト機能を用いる。これにより、異なるドメインネームのサーバにおいてそれぞれ取得された通信端末２０のドメイン毎のアクセスログをマッチングさせることができる。なお、第３のマッチング方法として、ＨＴＴＰリダイレクト機能を使用する方法について説明したが、このほかにクッキーリダイレクト手法を使用することもできる。
【０１２１】
（４）その他の実施形態
上述したように、本発明の実施形態を通じて本発明の内容を開示したが、本発明は、この開示の一部をなす論述及び図面によって限定されない。この開示から当業者には様々な代替実施の形態、実施例及び運用技術が明らかとなろう。
【０１２２】
本発明の実施形態では、クッキーＩＤを使用して通信端末を特定すると説明した。しかし、通信端末を特定する情報は、クッキーＩＤに限定されない。また、実施形態では、通信端末２０が、例えば、携帯型電話機であれば、携帯型電話機を特定するために設定された携帯型電話機に独自の装置ＩＤ（International Mobile Subscriber Identity）等の識別情報を使用することができる。
【０１２３】
このように、本発明は、ここに記載していない様々な実施の形態などを含むことは勿論である。したがって、本発明の技術的範囲は、上述の説明から妥当な特許請求の範囲に係る発明特定事項によってのみ定められるものである。
【符号の説明】
【０１２４】
１…アクセスログマッチングシステム、  １０…コンピュータネットワーク、  ２０…通信端末、  ３０，４０…ウェブサーバ、  ３１，４１…情報収集サーバ、  ３１Ｄ，４１Ｄ…全数データ、  ３２…アクセスログデータベース、  ４０…ウェブサーバ、  ５０…結合サーバ、  ６０…モニターデータベース、  １０１，１０２，１０３…コンテンツ格納部、  １１１，１１２，１１３…ウェブサイト、  ２０１，２０２，２０３…コンテンツ格納部、  ２１１，２１２，２１３…ウェブサイト、  ３０１…制御部、  ３０２…通信部、  ３０３…操作部、  ３０４…表示部、  ３０５…記憶部、  ３０６…音声出力部、  ３１１…クッキー作成部、  ３１２…アクセスログ送信制御部、  ３１３…コンテンツ選択部、  ３１４…ウェブサイト提供部、  ５０１…制御部、  ５０２…通信部、  ５０３…操作部、  ５０４…表示部、  ５０５…音声出力部、  ５０６…記憶部、  ５１１…クッキーマッチングテーブル作成部、  ５１１…ＵＲＬ提供部、  ５１２…アクセスログ取得部、  ５１３…結合アクセスログ作成部、  ５１４…プロファイルマッチング処理部、  ５１５…クッキー作成部
【図１】
0005970532.tif 000002
【図２】
0005970532.tif 000003
【図３】
0005970532.tif 000004
【図４】
0005970532.tif 000005
【図５】
0005970532.tif 000006
【図６】
0005970532.tif 000007
【図７】
0005970532.tif 000008
【図８】
0005970532.tif 000009
【図９】
0005970532.tif 000010
【図１０】
0005970532.tif 000011
【図１１】
0005970532.tif 000012
【図１２】
0005970532.tif 000013
【図１３】
0005970532.tif 000014